(57)【要約】【課題】  １２ｃｍディスクを収納して簡単かつ容易に組み立てが出来、ダンボール紙を使用し組み立て後は箱状の３層構造となり郵送時の破損からディスクを守りながら第一普通郵便の定形郵便９０円で郵送する。【解決手段】  第一種普通郵便の定形郵便規格内表紙１と両面に接着部を有すディスク保持部２、２ａと裏表紙３からなり組み立て前は前記表紙１と前記ディスク保持部２、２ａと前記裏表紙３が連続し１枚のシート状となり、その連続したシートを前記表紙１と前記ディスク保持部２、２ａと前記裏表紙３の折り曲げ部より折り曲げ３層構造の箱状とし、第一種普通郵便の定形郵便規格内とすること。【選択図】  図１
2005239280.tif 000002
【特許請求の範囲】
【請求項１】
第一種普通郵便の定形郵便規格内表紙と接着面を有するディスク保持部と第一種普通郵便の定形郵便規格内裏表紙からなり、３層の箱状に簡単に組み立てることによりディスクを配送時
の衝撃から守る強度を有し、また第一種普通郵便の定形郵便規格内とすることで郵送料９０円で郵送出来ることを特徴としたダンボール紙製の１２ｃｍディスク送付媒体。
【請求項２】
請求項１の媒体において第一種普通郵便の定形郵便規格の幅１２ｃｍ以下という規格に違反しない様送付媒体組み立て後ディスク保持部の左右に１２ｃｍディスクの側面が露出する様、切り欠き部を有することを特徴とする送付媒体。
【請求項３】
請求項１の媒体においてダンボール紙製の表紙、ディスク保持部、裏表紙を接着することにより組み立て後箱状となり十分な強度を有することにより、郵送時の取り扱いから来る衝撃によるディスクの破損を防止する事を特徴とする送付媒体。
【請求項４】
請求項１の媒体において組み立て後ディスク挿入部に相当する部分の裏表紙にディスクより少し大きい切り取りミシン線を有しディスクの取り出し時にそのミシン線を切り取ることによりディスクの取り出しを容易にした事を特徴とする送付用媒体。
【請求項５】
請求項１の媒体において組み立て前は表紙、ディスク保持部、裏表紙が連続し１枚のシート状ダンボール紙となる事により販売店の陳列、在庫を最小限のスペースで保管することが出来る事を特徴とする送付用媒体。
【請求項６】
請求項１の媒体において表紙とディスク保持部の折り曲げ部は上からの切れ込みによりまたディスク保持部と裏表紙は下からの切れ込みにより、厚みのあるダンボール紙でも容易に折り曲げて組み立てる事を特徴とする送付用媒体。
【請求項７】
請求項１の媒体において、第２形態として請求項５のディスク取り出しミシン線が裏表紙の印刷や文章の直接記入の場合にディスク取り出しミシン線が邪魔になることがある、そこで第２形態のディスク取り出し方法としてディスク保持部の角に切り欠きを設け組み立て後、表紙、ディスク保持部、裏表紙が３層構造の内ディスク保持部が空洞となりそこから接着面を剥がすことによりディスクを取り出すことができるのを特徴とするディスク送付媒体。
【請求項８】
請求項１の媒体において、第３形態としてディスク保持部に８ｃｍディスク挿入用の穴を有し、その外側に１２ｃｍディスク挿入用の切り取りミシン線を有することにより８ｃｍディスク、１２ｃｍディスク両方のディスクどちらかを１枚の送付媒体で郵送する事が出来る送付媒体。
【発明の詳細な説明】
【技術分野】
【０００１】本発明は簡単に組み立てが出来、保管のスペースを最小限に出来ると共に１２ｃｍディスクを破損から守り第１種普通郵便の定形郵便９０円で郵送するのに適した１２ｃｍディスク送付用媒体に関するものである。
【背景技術】
【０００２】    本発明は第一種普通郵便の定形郵便９０円で郵送する事を目的としており、幅１２ｃｍ以下長さ１４ｃｍ以上２３．５ｃｍ以下厚さ１ｃｍ以内ディスクを含めた重量５０ｇ以下にする事が重要である。従来の送付媒体は第一種普通郵便の定形郵便の規格から外れたものであったり、８ｃｍの小型ディスク用であったり郵送中の破損に対する強度不足であったりしている。
【特許文献１】    特許公報  特開２００３−２２６３８９号
【発明が解決しようとする課題】
【０００３】    ディスクを郵送する場合、従来では封筒等に入れて郵送するか定形郵便で郵送する場合は８ｃｍ小型ディスクを使用する、しかし現在１２ｃｍディスクの方が一般的に使用されていて、８ｃｍ小型ディスクは一般的と言えない為、個人個人がディスクを送付する場合、定形外郵便で郵送するか一般的ではない８ｃｍ小型ディスクを使用せねばならない、１２ｃｍディスクを定形郵便で郵送する場合でも強度の弱い為、郵送中のディスクの破損覚悟で郵送せねばならない。
【０００４】    また従来の送付媒体がディスクを郵送中の衝撃から守る強度を有している場合でも８ｃｍ小型ディスク専用となるか、寸法か重量また両方が定形郵便９０円規格外となる。
【０００５】    また従来のディスク送付媒体は、完成品で提供されるものであり、販売店での陳列や在庫の保管に多くのスペースを必要としていた、また製造コストの面でも組み立て費が高価になり不利である。
【０００６】    またプラスッチック製の送付媒体は強度が確保されているのでディスク郵送時の破損は心配が少ないが送付媒体がプラスッチック製の為、直接文章や住所等を書き込むのに油性ペンを使用するか、ラベルシールに書き込んで貼りつける他はない。
【課題を解決するための手段】
【０００７】    そこで発明者は前記課題を解決すべく、鋭意、研究を重ねた結果、その発明を定形郵便規格内表紙と両面に接着面を持ち両側にディスク側面部が露出する切り欠きを有するディスク保持部と定形郵便規格内裏表紙を持ちその３枚が連続しており折り曲げ部は上部と下部からの切れ込みを有し簡易かつ容易に組み立てが可能であり、また組み立て後は箱状となり、また軽量で衝撃吸収力のあるダンボール紙を使用することにより郵送時の衝撃から非常に強く、また直接表紙、裏表紙に住所、文書等を印刷記入する事が出来また送付媒体自体を廃棄する時も環境負荷の少なくする事ができる、また１２ｃｍディスクを内部に保持したまま寸法、重量を定形郵便規格内にすることにより郵送料金を９０円にする事が出来前記の課題を解決したものである。
【発明の効果】
【０００８】    請求項１の発明は第一種普通郵便の定形郵便規格内の表紙１とディスク保持部２、２ａと裏表紙３からなり、それらが１つに連なり簡易かつ容易に組み立てが出来、本発明品がダンボール紙し組み立て後箱状になることにより郵送時の衝撃からディスクを守る非常に強い強度を有し、なおかつダンボール紙製の為本発明品を廃棄するときも環境負荷の少ない送付媒体であり、１２ｃｍディスクを内部に保持して重量５０ｇ以下、幅１２ｃｍ以下、長さ１４ｃｍ以上２３．５ｃｍ以内、高さ１ｃｍ以内とし定形郵便９０円で郵送する事が出来る。
【０００９】    請求項２の発明は定形郵便規格の幅が１２ｃｍ以下である為、１２ｃｍディスクを入れた本発明品に露出しているディスク側面の保護の為にプラスッチックフィルムでカバーするなどした場合または側面の切り欠きを設けずに少しでも保護面を設けた場合、１２ｃｍよりもわずかながらでもオーバーする為に定形郵便とはみなされない可能性が考えられる、しかし本発明品の様に１２ｃｍディスク自体を露出させる構造であれば、１２ｃｍ以内という定形郵便規格を確実に守られる為に定形郵便９０円で確実に郵送する事が出来る。
【００１０】    請求項３の発明は本発明品が組み立て後表紙１、ディスク保持部２、２ａ裏表紙３からなる３層構造の形態となるため、いわゆるモノコック構造となり、またもともと衝撃吸収力のあるダンボール紙を使用することにより曲げ衝撃等のディスク破損要因からディスクの保護を格段に高めることが出来る。
【００１１】    請求項４の発明は本発明品の裏表紙３に組み立て後入れたディスクと同形状、同位置に対して切り取りミシン線４を形成することによりその切り取りミシン線４を切り取れば簡単にディスクを取り出せるようする事が出来る。
【００１２】    請求項５の発明は図３、図４のように完成品ではなく表紙１、ディスク保持部２、２ａ、裏表紙３が連続して１枚のプレート状とすることにより本発明品の製造コストを削減できる、また販売店での陳列や在庫のスペースを最小限にする事が出来る。
【００１３】    請求項６の発明は図３の様に組み立て前に連続したプレート状の厚みのあるダンボール紙製の本発明品を図４、図５の様に表紙１とディスク保持部２、２ａは上部からの切れ込み、ディスク保持部２、２ａと裏表紙３は下部からの切れ込みとすることにより組み立て後３層構造とする事が出来る。
【００１４】    請求項７の発明は第２形態として切り取りミシン線４が裏表紙の印刷や文章の直接記入の際に邪魔になることがある切り取りミシン線４を無くした場合ディスクが取り出しにくくなる為に図８のようにディスク保持部２に切り欠き１１を設け３層構造とした場合ディスク保持部分が一部空洞となるため切り欠き部より表紙１または裏表紙３を持って引く事により接着部を破り簡単にディスクを取り出せることが出来る。
【００１５】    請求項８の発明は第３の形態として図６のようにディスク保持部２、２ａに８ｃｍ小型ディスクより少し大きい穴を有しその外周に１２ｃｍよりも少し大きい切り取りミシン線８を設けることにより、このままでは８ｃｍディスク郵送用、取りミシン線８を切り取れば１２ｃｍディスク郵送用と１枚の本発明品で１２ｃｍディスク、８ｃｍディスク両方のディスクを選んで郵送する事が出来る。
【発明を実施するための最良の形態】
【００１６】    本発明の実施するための最良の形態を図面に基づいて説明する図１の定形郵便規格内寸法表紙１ディスク保持部２、２ａ、定形郵便規格内寸法裏表紙３は主にダンボール紙から構成されている、前記のダンボール紙は板厚が比較的薄いタイプのものと厚いタイプのものがあり両方とも使用される。【００１７】    図１の前記表紙１、ディスク保持部２、２ａ、裏表紙３で構成される本体は第一種定形郵便規格大（横１２ｃｍ、縦１４ｃｍ以上２３．５ｃｍ以内、高さ１ｃｍ以内）としディスクを含めた重量が５０ｇ以内とする。【００１８】    図１の表紙１は前記に示したような寸法であり直接宛名、住所を記入事が出来る、また宛名シール等などを貼りつけることが出来る。【００１９】    図３のディスク保持部２、２ａは表紙１と折り曲げ部６でつながっており、また裏表紙とも図４の折り曲げ部７によりつながっており、組み立て前は表紙１、ディスク保持部２、２ａ、裏表紙３で図３の様に１枚のシート状となっている、また図３で示す様にディスク保持部２と２ａはそれぞれディスクより少し大きい半円形の切れこみを有しているが、直接つながっておらず組み立て後は図１の切り欠き５のようにディスク側面が露出する様になっており定形郵便規格１２ｃｍ以下の条件を満たす。また図１のディスク保持部２、２ａ斜線部の両面に主に両面テープからなる接着面を有し表紙１と裏表紙３、図５で示される様に折り曲げられ接着される、ただし接着面はディスク保持部２、２ａに限らず表紙１、裏表紙３に有することもある、また接着は両面テープに限らず接着剤を使用することもある。【００２０】    図２が示す裏表紙３は００１７で示した定形郵便規格内寸法の大きさであり本体組み立て後、ディスクを保持する位置にディスクと同形状の切り取りミシン線４を有しディスク取り出し時はその切り取りミシン線４を破くことによりディスクを容易に取り出すことが出来る。ただし切り取りミシン線４は有しない場合もある。またダンボール紙製の為文書を直接書き込む事が出来、製造時に文書や企業の広告なども印刷する事が出来る。【００２１】    図４が示すように表紙１、ディスク保持部２、２ａ、裏表紙３は折り曲げ部６、折り曲げ部７の様に２枚の紙と波状の中紙で構成されるダンボール紙２枚のうちどちらかの１枚でつながっており、折り曲げる方の紙はミシン線で折り曲げやすくなっている。ただしミシン線を有していない場合もある。その折曲げ部を図４、図５で示すように矢印方向に折り曲げて、裏表紙３をディスク保持部２、２ａ斜線部の接着部分に接着しディスク１０を入れてから表紙１を図７のように矢印方向に折り曲げディスク保持部２、２ａと接着し完成させ図１のように３層構造の箱状状となりディスクを郵送時の衝撃から守る送付媒体となる。【００２２】  また第２形態として図８が示すように切り取りミシン線４が裏表紙の印刷や文章の直接記入の際に邪魔になることがある切り取りミシン線４を無くした場合ディスクが取り出しにくくなる為にディスク保持部２に切り欠き１１を設け３層構造とした場合ディスク保持部分が一部空洞となるため図９の様に切り欠き部より表紙１または裏表紙３を持って引く事により接着部を破り簡単にディスクを取り出せるこ���が出来る。【００２３】    また第３形態として図６が示すようにディスク保持部２、２ａに８ｃｍ小型ディスクより少し大きい穴を有しその外周に１２ｃｍよりも少し大きい切り取りミシン線８を設けることにより、このままでは８ｃｍディスク郵送用、取りミシン線８を切り取れば１２ｃｍディスク郵送用と１枚の本発明品で１２ｃｍディスク、８ｃｍディスク両方のディスクを選んで郵送する事が出来る。【００２４】    本発明品において収納される１２ｃｍディスク、８ｃｍディスクとはＣＤまたはＤＶＤディスクでありＣＤはＣＤ−ＲＯＭ或いは書きこみ可能なＣＤ−Ｒ、ＣＤ−ＲＷ等が含まれる、更に今後出現する可能性のある１２ｃｍディスク、８ｃｍディスクが全て含まれるものとする、更に円盤状のディスク以外に第一種普通定型郵便規格内本発明品が納まる限りカード型のもの及び電子部品等も全て含まれるものとする。【００２５】    また本発明品は日本国内だけでなく非常に郵送時の衝撃に強い特徴があり定型郵便で郵送する事が出来る為、国際郵便で海外に郵送する場合でも安全に安価に（北米  １９０円）郵送の出来る送付媒体である。
【図面の簡単な説明】
【００２５】
【図１】  は本発明品の表紙面から見た斜視図
【図２】  は本発明品の裏表紙から見た斜視図
【図３】  は本発明品の組み立て前の平面図
【図４】  は本発明品の組み立て工程の斜視図
【図５】  は本発明品の組み立て工程の断面図
【図６】  は本発明品の第３形態のディスク保持部拡大平面図
【図７】  は本発明品のディスク挿入時組み立て工程の斜視図
【図８】  は本発明品の第２形態のディスク保持部拡大平面図
【図９】  は本発明品の第２形態の送付媒体開封工程斜視図
【符号の説明】
【００２６】  １    表紙
２    ディスク保持部
２ａ  ディスク保持部
３    裏表紙
４    ディスク取り出し切り取りミシン線
５    ディスク保持部切り欠き穴
６    折り曲げ部
７    折り曲げ部
８    １２ｃｍディスク郵送用切り取りミシン線
９    ８ｃｍディスク用ディスク保持部
１０    １２ｃｍディスク
１１    ディスク取り出し切り欠き
【図１】
2005239280.tif 000003
【図２】
2005239280.tif 000004
【図３】
2005239280.tif 000005
【図４】
2005239280.tif 000006
【図５】
2005239280.tif 000007
【図６】
2005239280.tif 000008
【図７】
2005239280.tif 000009
【図８】
2005239280.tif 000010
【図９】
2005239280.tif 000011